(57)【要約】【課題】カメラの機能の活用を提案し、表現の幅を広げることのできるカメラを提供する提供する。【解決手段】本発明のカメラ１０は、被写体光を撮像する撮像部２０と、撮影に関する調整可能な複数の機能から使用頻度の低い機能を提案機能として選定する提案機能選択部３１と、前記提案機能選択部３１が選定した前記提案機能を表示部１４に表示する制御部４０と、を備えることを特徴とする。【選択図】図１
2013243573.tif 000002
【特許請求の範囲】
【請求項１】
被写体光を撮像する撮像部と、
撮影に関する調整可能な複数の機能から使用頻度の低い機能を提案機能として選定する提案機能選択部と、
前記提案機能選択部が選定した前記提案機能を表示部に表示する制御部と、
を備えること、を特徴とするカメラ。
【請求項２】
請求項１に記載のカメラであって、
撮影に係る撮影条件を記憶する履歴記憶部をさらに備え、
前記提案機能選択部は、前記履歴記憶部が記憶する撮影条件の履歴情報を参照して前記提案機能を選定すること、
を特徴とするカメラ。
【請求項３】
請求項１または２に記載のカメラであって、
前記提案機能選択部は撮影条件設定後撮影前に前記提案機能を選定し、前記制御部は撮影前に前記提案機能選択部が選定した前記提案機能を前記表示部に表示すること、
を特徴とするカメラ。
【請求項４】
請求項１または３に記載のカメラであって、
前記提案機能選択部は撮影後に前記提案機能を選定し、前記制御部は撮影後に前記提案機能選択部が選定した前記提案機能を前記表示部に表示すること、
を特徴とするカメラ。
【請求項５】
請求項４に記載のカメラであって、
前記制御部は、撮影画像に画像処理して前記提案機能を適用した撮影によるシミュレート画像を作成し、前記表示部に表示すること、
を特徴とするカメラ。
【請求項６】
請求項１〜５のいずれか１項に記載のカメラであって、
前記制御部は、使用者による決定入力によって、前記提案機能の適用を設定すること、
を特徴とするカメラ。
【発明の詳細な説明】
【技術分野】
【０００１】
本発明は、カメラに関するものである。
【背景技術】
【０００２】
近年カメラは、撮影に係る設定項目として、露出のみならず撮像に対する画像処理等の各種パラメータの設定が可能であり、多様な機能を備えている。その一方、機能が多様に存在することから、十分にその機能が使いこなされていない場合がある。
このため、撮影結果に対して別の撮影パターンを提案する方法が提案されている（例えば、特許文献１参照）。
【先行技術文献】
【特許文献】
【０００３】
【特許文献１】特開２００３−７８８１３号公報
【発明の概要】
【発明が解決しようとする課題】
【０００４】
しかし、上記従来の提案は、一般的に良いとされている撮影パターンを提案するものである。このため、失敗を防ぐことはできるものの、定形から外れた個性的な表現を開拓しカメラの機能の活用度を増すものではない。
【０００５】
本発明の課題は、カメラの機能の活用を提案し、表現の幅を広げることのできるカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体光を撮像する撮像部（２０）と、撮影に関する調整可能な複数の機能から使用頻度の低い機能を提案機能として選定する提案機能選択部（３１）と、前記提案機能選択部（３１）が選定した前記提案機能を表示部（１４）に表示する制御部（４０）と、を備えることを特徴とするカメラ（１０）である。
請求項２に記載の発明は、請求項１に記載のカメラであって、撮影に係る撮影条件を記憶する履歴記憶部（３２）をさらに備え、前記提案機能選択部（３１）は、前記履歴記憶部（３２）が記憶する撮影条件の履歴情報を参照して前記提案機能を選定すること、を特徴とするカメラ（１０）である。
請求項３に記載の発明は、請求項１または２に記載のカメラであって、前記提案機能選択部（３１）は撮影条件設定後撮影前に前記提案機能を選定し、前記制御部（４０）は撮影前に前記提案機能選択部（３１）が選定した前記提案機能を前記表示部（１４）に表示すること、を特徴とするカメラである。
請求項４に記載の発明は、請求項１または３に記載のカメラであって、前記提案機能選択部（３１）は撮影後に前記提案機能を選定し、前記制御部（４０）は撮影後に前記提案機能選択部（３１）が選定した前記提案機能を前記表示部に表示すること、を特徴とするカメラ（１０）である。
請求項５に記載の発明は、請求項４に記載のカメラであって、前記制御部（４０）は、撮影画像に画像処理して前記提案機能を適用した撮影によるシミュレート画像（５５）を作成し、前記表示部（１４）に表示すること、を特徴とするカメラ（１０）である。
請求項６に記載の発明は、請求項１〜５のいずれか１項に記載のカメラであって、前記制御部（４０）は、使用者による決定入力によって、前記提案機能の適用を設定すること、を特徴とするカメラ。
【発明の効果】
【０００８】
本発明によれば、カメラの機能の活用を提案し、表現の幅を広げることのできるカメラを提供できる。
【図面の簡単な説明】
【０００９】
【図１】本発明の実施の形態を適用したカメラのブロック構成図である。
【図２】カメラの外観背面図である。
【図３】カメラの逆提案モードにおけるメインフローチャートである。
【図４】撮影前提案制御のフローチャートである。
【図５】撮影前提案制御の設定を説明する図である。
【図６】撮影後提案制御のフローチャートである。
【図７】撮影後提案制御の設定を説明する図である。
【発明を実施するための形態】
【００１０】
以下、図面等を参照して、本発明の実施形態について説明する。
図１は、本発明の実施の形態を適用したカメラ１０のブロック構成図である。図２は、カメラ１０の外観背面図である。
図１に示すように、カメラ１０は、撮像部２０と、Ａ／Ｄ変換回路１１と、画像処理部１２と、操作部１３と、表示部１４と、記録部１５と、を備えている。また、カメラ１０は、撮影ガイド部３０と、当該カメラ１０を統括制御する制御部４０と、を備えている。
【００１１】
撮像部２０は、撮影レンズ２１と、シャッター２２と、撮像素子２３等を備えている。
撮影レンズ２１は、複数のレンズ群（図では１枚のレンズとして簡略化して示してある）によって構成されており、被写体像を撮像素子２３に結像させる。
シャッター２２は、撮影レンズ２１から撮像素子２３に至る光路に開閉可能に設けられ、開閉することで撮像素子２３への入射光量（露出）を制御する。
撮像素子２３は、撮影レンズ２１によって結像された被写体像を電気信号に変換するたとえばＣＣＤ等の光電変換素子である。
【００１２】
そして、撮像部２０は、シャッター２２の開放によって、撮影レンズ２１によって形成された被写体像を撮像素子２３の撮像面に結像させ、その被写体像を撮像素子２３が電気信号に変換して画像処理部に出力する。なお、この撮像部２０における撮影レンズ２１は、カメラ本体と別体に構成されてカメラ本体に対して着脱可能な構成であっても良い。
【００１３】
Ａ／Ｄ変換回路１１は、撮像部２０（撮像素子２３）から出力されるアナログの画像信号をデジタルの画像信号に変換する。
画像処理部１２は、Ａ／Ｄ変換回路１１から入力されるデジタル画像信号を図示しないバッファメモリに一旦格納すると共に、その画像データに対して各種画像処理（たとえば、ホワイトバランス調整、シャープネス調整、ガンマ補正、階言周調整等の各種画像補正および各色の画像データに対する補間処理等）を行う。また、画像処理部１２は、後述する制御部４０の制御下で、撮影ガイド部３０が作成した逆提案をシミュレートした画像を形成する。
【００１４】
操作部１３は、図２に示すように、シャッターボタン１３Ａ、十字キー１３Ｂ、ＯＫボタン１３Ｃおよびメニューボタン１３Ｄ等複数の操作ボタンを備えている。この操作部１３は、使用者によって操作され、その操作情報を制御部４０に出力する。
また、後述する表示部１４に表示される操作画面を十字キー１３Ｂ等によって操作して機能設定できるようになっている。操作画面は、後述する制御部４０が保持するプログラムによって複数の機能に対応して複数用意されており、メニュー画面から操作画面を切り換えて操作するようになっている。
【００１５】
表示部１４は、図２に示すように、カメラ１０の背面に設けられた液晶パネル１４Ｐを備えている。そして、表示部１４は、後述する制御部４０によって制御され、撮像部２０による撮像画像（スルー画蔵）や再生画像およびそれらのヒストグラムや撮影情報等を表示する。
また、表示部１４は、シャッター速度，絞りおよび露光補正情報等の、使用者が操作部１３を介して入力した撮影に係る設定情報を表示する。
さらに、表示部１４は、後述する撮影ガイド部３０が作成した撮影ガイドを表示する。
記録部１５は、着脱可能なリムーバブルメモリ等の記録媒体を備え、画像処理部１２によって処理された撮影画像を記録媒体に記録する。
【００１６】
撮影ガイド部３０は、ガイド作成部３１と、履歴データ記憶部３２と、により構成されている。撮影ガイド部３０は、ガイド作成部３１が、被写体条件と使用者による撮影に係る各種設定等とに基づいて、使用者に対して機能をアドバイスする撮影ガイドを作成する。
本実施形態では、この撮影ガイドにおける１つのモードとして、逆提案モードを備えている。逆提案モードは、被写体条件と、使用者による撮影に係る各種設定と、履歴データ記憶部３２に記憶された過去の撮影情報と、に基づいて、設定とは異なる機能の活用例（逆提案）を作成する。この撮影ガイド部３０については、後に詳述する。
【００１７】
制御部４０は、マイクロコンピュータ等を備えて構成されており、カメラ１０の各部を統合的に制御する。
制御部４０は、表示部１４を制御して撮影画像や種々の情報および各種設定の際に用いられる設定メニュー等を表示させる。
また、制御部４０は、撮影ガイド部３０によって作成された撮影ガイドを、表示部１４を介して提示し、操作部１３を介した使用者からの指示に応じて、撮影および画像処理に係る機能を設定する。
制御部４０は、これらの各処理を実行するためのプログラムを予め記録している。
【００１８】
ここで、制御部４０によって調整可能な撮影に係る機能としては、撮像そのものに関するものとして露出モード（プログラム，絞り優先，シャッター速度優先）があり、撮像に対する画像処理に関するものとしてはカラーモードや絵作りモード（ノーマル，ビビット，モノクロ，ナチュラル，セピア，ホワイトバランス，シャープネスおよびコントラスト）等がある。
【００１９】
そして、上記構成のカメラ１０は、撮影に際して、使用者（撮影者）による操作部１３の操作に基づく制御部４０の制御によって、撮像部２０が被写体像を電気信号に変換し、この電気信号から画像処理部１２が画像データを形成し、記録部１５に記録する。表示部１４は、前述したように、種々の設定情報，撮影情報，撮影画像および設定操作画面等を表示する。
【００２０】
つぎに、図３〜図７を参照して、本実施形態において特徴的な、撮影ガイド部３０による逆提案の作成と、制御部４０による逆提案の提案制御と、について詳細に説明する。
図３は、カメラ１０の逆提案モードにおけるメインフローチャートである。図４は、撮影前提案のフローチャートである。図５は、撮影前提案の設定を説明する図である。
図６は、撮影後提案のフローチャートである。図７は、撮影後提案の設定を説明する図である。
【００２１】
前述したように、撮影ガイド部３０は、ガイド作成部３１と、履歴データ記憶部３２と、により構成されている。
ガイド作成部３１は、被写体条件と、使用者による撮影に係るその時点における各種設定と、履歴データ記憶部３２に記憶された過去の撮影情報を解析した結果と、に基づいて使用頻度が低い機能を使った撮影方法を提案する逆提案を作成する。
履歴データ記憶部３２は、過去の撮影時における撮影情報（露出や機能の各種設定）を記憶する。
【００２２】
制御部４０は、撮影ガイド部３０が作成した逆提案を、表示部１４を介して使用者に提示し、使用者の操作部１３を介した指示に応じて提示した逆提案の設定を適用する。
ここで、逆提案の提示は、使用者による各種設定終了後撮影前に行う「撮影前提案」と、使用者による設定で行われた撮影終了後に行う「撮影後提案」と、がある。なお、撮影終了後とは、撮影終了直後だけでなく、撮影後日における再生時も含む。
【００２３】
撮影前提案は、現在のカメラ設定と履歴データとから、ユーザーが普段使わない機能の中から撮影結果に影響のある項目を検出し、それを簡単な特徴とともにユーザーに提案する。撮影前提案は、カメラが起動しているときには常にそのシーンを解析して提案内容を更新する。
【００２４】
撮影後提案は、撮影直後にその撮影結果に対して顕著に結果が変わるような設定のうち、ユーザーがあまり使わないような機能を優先して提案を行う。
撮影前提案と異なる点は、撮影結果に対して提案の結果をシミュレートした画像を同時に表示することが可能な点である。撮影画像を再生しているときにその撮影画像の撮影条件と履歴データから提案内容を作成して提示する。そのため、撮影直後でなくても過去に撮影した画像に対しても提案が可能である。
この「撮影前提案」と「撮影後提案」とは、それぞれ使用者によって任意に適用／不適用が設定可能なものである。
【００２５】
つぎに、図３に示すフローチャートに沿って、制御部４０による逆提案に係る制御を説明する。なお、図２中および以下の説明においてステップを「Ｓ」とも略記する。
逆提案制御は、カメラ１０が起動（電源ＯＮ）して撮影が可能な状態となると、まず、カメラ１０が、撮影前提案または撮影後提案が設定されている状態かどうかを判断する（Ｓ３００）。
撮影前提案または撮影後提案が設定されている場合（Ｓ３００，Ｙｅｓ）、その提案を解除する解除条件（後述）が発生したかどうかを判断する（Ｓ３１０）。解除条件が発生した場合（Ｓ３１０，Ｙｅｓ）、後述するステップ３０１へ進み、解除条件が発生していない場合（Ｓ３１０，Ｎｏ）、後述するステップ３０３へ進む。
【００２６】
撮影前提案または撮影後提案が設定されていない場合（Ｓ３００，Ｎｏ）、撮影前提案機能のＯＮ／ＯＦＦを判定する（Ｓ３０１）。
ステップ３０１において撮影前提案機能がＯＮと判断された場合（Ｙｅｓ）には、撮影前提案制御を実行する（Ｓ３０２）。
ステップ３０２における撮影前提案制御は、現在のカメラ設定と履歴データから、ユーザーが普段使わない機能の中から撮影結果に影響のある項目を検出し、それを簡単な特徴とともにユーザーに提案する。提案が受け入れられると、提案した設定に変更する。この撮影前提案制御の詳細については後述する。
【００２７】
そして、シャッターボタン１３Ａの押下等による撮影指令を判定する（Ｓ３０３）。
一方、ステップ３０１において撮影前提案機能がＯＦＦと判断された場合（Ｎｏ）には、ステップ３０２をスキップし、ステップ３０３の撮影指令判定に進む。
ステップ３０３において撮影指令が判断されると、撮影を行う（Ｓ３０４）。
ステップ３０４における撮影は、一連の撮影動作、画像の記録部１５への記録及び表示部１４への表示等である。
【００２８】
ステップ３０４における撮影終了後、逆提案モード履歴機能のＯＮ／ＯＦＦを判定する（Ｓ３０５）。これは、他人が使用する場合等、履歴を残したくない場合にＯＦＦとするものである。
ステップ３０５において逆提案モード履歴機能がＯＮと判断された場合（Ｙｅｓ）には、逆提案モード履歴の記録を実行する（Ｓ３０６）。
ステップ３０５において逆提案モード履歴機能がＯＦＦと判断された場合（Ｎｏ）には、ステップ３０６をスキップする。
【００２９】
ついで、撮影後提案機能のＯＮ／ＯＦＦを判定する（Ｓ３０７）。
ステップ３０７において撮影後提案機能がＯＮと判断された場合（Ｙｅｓ）には、撮影後提案制御を実行する（Ｓ３０８）。
ステップ３０８における撮影後提案制御は、直前の撮影結果に対して顕著に結果が変わるような設定のうち、ユーザーがあまり使わないような機能を優先して提案すると共に、撮影結果に対して提案の結果をシミュレートした画像を同時に表示する。提案が受け入れられると、提案した設定に変更する。この撮影後提案制御の詳細については後述する。
【００３０】
ステップ３０８における撮影後提案制御の後は、ステップ３００に戻る。
一方、ステップ３０７において撮影後提案機能がＯＦＦと判断された場合（Ｎｏ）には、電源ＯＦＦ判定（Ｓ３０９）を行い、電源がＯＦＦでない場合（Ｎｏ）にはステップ３００に戻り、電源がＯＦＦの場合（Ｙｅｓ）には制御を終了する。
【００３１】
つぎに、図４および図５を参照して、撮影前提案制御について詳細に説明する。
図４は、撮影前提案制御のフローチャートである。図５は、その具体的な説明図である。
撮影前提案制御では、はじめに撮影前提案項目を作成する（Ｓ４０１）。
提案作成時には、関連するカメラ設定から提案解除要因となる項目も同時に決める。
【００３２】
ついで、ステップ４０１における提案項目の有無を判定する（Ｓ４０２）。
このステップ４０２において提案項目が無い場合とは、たとえば、参照すべき履歴の蓄積が無い場合や、被写体条件から撮影に係る機能の選択肢が無い場合等である。
ステップ４０２において提案項目が検出された場合（Ｙｅｓ）には、表示部１４に提案項目の表示を行い（Ｓ４０３）、提案項目をユーザーが受け入れるか否かを判定する（Ｓ４０４）。
一方、ステップ４０２において、提案項目が無い場合（Ｎｏ）には、当該制御を終了する。
【００３３】
ステップ４０４における提案項目のユーザーの受け入れ判定は、操作部１３の操作によって行われる。
ステップ４０４においてユーザーが提案を受け入れた場合（Ｙｅｓ）には、提案項目の設定を行う（４０５）。
ステップ４０４においてユーザーが提案を受け入れなかった場合（Ｎｏ）には、当該制御を終了する。
【００３４】
つぎに、撮影前提案制御の前述したフローチャートにおけるステップ４０１に係る提案項目の作成の一例を説明する。
１．対象
常にプログラムモード（以下、Ｐモードと略記する）で撮っていて、比較的暗い場所で撮影し、プログラム線図の関係で常時絞り開放近辺での撮影となっている場合。
２．提案
「背景をもっと写す」として、絞り優先モード（以下、Ａモードと略記する）で、絞りをもう少し絞った撮影を提案。「シャッタースピードが遅くなるので手ブレに注意下さい」と説明文を付ける。
３．判定条件
（１）現在の撮影モード＝Ｐモード
（２）カメラ測光値が閾値（ＬＶ８程度）以下
（３）Ｐモードでの撮影回数が予め定められた閾値（総撮影枚数に対して９割程度）以上
（４）Ｐモードでの撮影回数中、プログラムシフト、露出補正などのユーザー設定無しで判定絞り値以下の撮影をした回数が閾値（７割程度）以上
なお、判定絞り値は、被写界深度を考慮して、たとえば下記のように焦点距離ごとに設定する。なお、撮像素子の大きさによって判定値を考慮してもよい。
（ａ）〜３５ｍｍ        ：Ｆ２
（ｂ）３６ｍｍ〜６０ｍｍ：Ｆ３．５
（ｃ）６１ｍｍ〜        ：Ｆ５．６
４．参照する履歴データ
（１）Ｐモード（プログラムシフト、露出補正）の撮影回数
（２）Ｐモード時の絞り値（レンズの開放Ｆ値、撮影絞り値）
（３）Ｐモード時の測光値
５．解除条件（上述のステップ３００）
（１）電源のＯＦＦ
（２）撮影モードの変更
（３）解除操作（メニューから解除を選択して確定操作）
（４）レンズの着脱
６．上記提案項目における設定
撮影モードをＡモードにして、絞り値を判定絞り値以上（判定絞り＋１段程度）に設定する。なお、絞り値の調整量は、焦点距離に応じて変化するようにしても良い。
【００３５】
つぎに、上記のような提案項目を提案する撮影前提案制御における、表示部１４への提案項目の表示と、提案項目のユーザー受け入れ判定の具体例を、図５を参照して説明する。
前述した撮影前提案制御のフローチャートのステップ４０３における表示部１４への提案項目の表示は、図５（ａ）に示すように表示部１４の表示画面の右下に、「ガイド」との文字表示によるガイドマーク５１を点滅させて提案項目が有ることを表す。
【００３６】
この画面に対して、操作部１３における十字キー１３Ｂ等の操作によってガイドマーク５１が選択され、ＯＫボタン１３Ｃの押圧で決定されると、図５（ｂ）に示すように提案項目５２を表示する。なお、表示部１４の液晶パネル１４Ｐがタッチパネルで構成されている場合には、ガイドマーク５１のタッチで選択および決定でも良い。
【００３７】
図５（ｂ）に示す提案項目５２の表示画面は、複数の提案項目５２を列挙し、個々の提案項目５２は操作部１３の十字キー１３Ｂ等の操作によって選択可能となっている。選択された提案項目５２は、表示字体または色が非選択の状態から変化して識別可能となる。
【００３８】
図５（ｂ）に示す提案項目５２の表示画面に対して、操作部１３の十字キー１３Ｂ等の操作による提案項目５２の選択後、決定ボタン１３Ｃの押圧（または提案項目２のタッチ）によって、図５（ｃ）に示すように、提案項目５２の、より詳細な説明や注意事項等を文章で表示した最終設定画面を表示する。
【００３９】
図５（ｃ）に示す最終表示画面には、グラフィックによる設定ボタン５３と戻るボタン５４が設けられており、操作部１３の十字キー１３Ｂ等の操作による設定ボタン５３の選択後、ＯＫボタン１３Ｃの押圧（または設定ボタン５３のタッチ）によって、図５（ｄ）に示すガイド設定中の画面とする。
【００４０】
図５（ｄ）に示すガイド設定中の画面は、表示画面の右下のガイドマーク５１を前述した提案項目有りの場合とは異なるパターンで（たとえば赤色で）点滅させてガイド設定中を表示する。
【００４１】
つぎに、図６および図７を参照して、撮影後提案制御について詳細に説明する。
図６は、撮影後提案制御のフローチャートである。図７は、その具体的な説明図である。
撮影後提案制御は、まず、撮影前提案項目を作成する（Ｓ６０１）。
提案作成時には、関連するカメラ設定から提案解除要因となる項目も同時に決める。
【００４２】
ついで、ステップ６０１における提案項目の有無を判定する（Ｓ６０２）。
ステップ６０２において提案項目が検出された場合（Ｙｅｓ）には、表示部１４による提案項目の表示（Ｓ６０３）と、提案項目の選択時において提案を反映させたように画像処理部１２による画像処理によって作成したシミュレート画面の表示（Ｓ６０４）と、を行う。
【００４３】
そして、提案項目をユーザーが受け入れるか否かを判定する（Ｓ６０５）。
一方、ステップ６０２において、提案項目が無い場合（Ｎｏ）には、当該制御を終了する。
ステップ６０５における提案項目のユーザーの受け入れ判定は、操作部１３の操作によって行われる。
ステップ６０５においてユーザーが提案を受け入れた場合（Ｙｅｓ）には、提案項目の設定を行う（６０６）。
ステップ６０５においてユーザーが提案を受け入れなかった場合（Ｎｏ）には当該撮影前提案制御を終了する。
【００４４】
つぎに、撮影後提案制御における提案項目の作成の一例を説明する。
１．対象
常にノーマルカラーモードでしか撮ったことがない。いろいろなカラーモードを使いこなしていない。
２．提案
「個性的な色合いにする」として、撮影画像を他のカラーモードで使用頻度の低いもの提案する。また、そのカラーモードでシミュレートした画像を同時に表示する。
３．条件
（１）撮影時のカラーモードがノーマル
（２）ノーマルカラーモードでの撮影回数が総撮影枚数に対して閾値（９割）以上
（３）候補とするカラーモードは、使用頻度が低いもの上位５種類（設定変更可としても良い）
たとえば、ノーマル，ビビット，モノクロ，ナチュラルおよびセピア等。カラーのファクターではないが、ホワイトバランス，シャープネスおよびコントラスト等を条件としても良い。
４．参照する履歴データ
（１）撮影時のカラーモードおよびそのカラーモードの撮影回数
（２）総撮影枚数
５．解除条件
（１）電源のＯＦＦ
（２）カラーモードの変更
（３）解除操作（メニューから解除を選択して確定操作）
６．上記提案項目における設定
カラーモードを選択されたモードに変更する。
【００４５】
つぎに、上記のような提案項目を提案する撮影後提案制御における、表示部１４への提案項目の表示と、シミュレート画面の表示、および提案項目のユーザー受け入れ判定の具体例を、図７を参照して説明する。
前述した撮影後提案制御のフローチャートのステップ６０３における表示部１４への提案項目の表示は、図７（ａ）に示すように表示部１４の表示画面の右下に、「ガイド」との文字表示によるガイドマーク５１を点滅させて提案項目が有ることを表す。
【００４６】
この画面に対して、操作部１３の十字キー１３Ｂ等の操作によってガイドマーク５１が選択され、ＯＫボタン１３Ｃの押圧で決定されると、図７（ｂ）に示すように提案項目５２を表示する。なお、表示部１４の液晶パネル１４Ｐがタッチパネルで構成されている場合には、ガイドマーク５１のタッチで選択および決定でも良い。
【００４７】
図７（ｂ）に示す提案項目５２の表示画面は、複数の提案項目５２を列挙し、個々の提案項目５２は操作部１３の十字キー１３Ｂ等の操作によって選択可能となっている。選択された提案項目５２は、表示字体または色が非選択の状態から変化して識別可能となる。
【００４８】
図７（ｂ）に示す提案項目５２の表示画面に対して、操作部１３の十字キー１３Ｂ等の操作による提案項目５２の選択後、決定ボタン１３Ｃの押圧（または提案項目２のタッチ）によって、図７（ｃ）に示すように、提案項目５２の、より詳細な説明や注意事項等を文章で表示した最終設定画面を表示する。
さらに、この最終設定画面の一部に、画像処理部１２による画像処理によって提案項目における提案を反映させたように作成したシミュレート画面５５を表示する。
【００４９】
図７（ｃ）に示す最終表示画面には、グラフィックによる設定ボタン５３と戻るボタン５４が設けられており、操作部１３の十字キー１３Ｂ等の操作による設定ボタン５３の選択後、ＯＫボタン１３Ｃの押圧（または設定ボタン５３のタッチ）によって、図７（ｄ）に示すガイド設定中の画面となる。
【００５０】
図７（ｄ）に示すガイド設定中の画面は、ライブビューモードの場合、設定されたカラーモード（色設定）でスルー画を表示する。また、表示画面の右下のガイドマーク５１を前述した提案項目有りの場合とは異なるパターンで（たとえば赤色で）点滅させてガイド設定中を表示する。
【００５１】
以上、本実施形態によると、以下の効果を有する。
（１）カメラ１０は、被写体条件と、使用者による撮影に係る各種設定と、履歴データ記憶部３２に記憶された過去の撮影情報と、に基づいて、設定とは異なる機能の活用例（逆提案）を作成して提案する。これにより、普段使わないカメラの機能の活用を提案することで、撮影における表現の幅を広げることを奨励できる。
【００５２】
（変形形態）
以上、説明した実施形態に限定されることなく、以下に示すような種々の変形や変更が可能であり、それらも本発明の範囲内である。
本実施形態では、逆提案として、機能露出モードとカラーモードの例を示した。しかし、提案する機能は、このような単独の機能に限らず、機能を組み合わせた総合的な絵作りモード単位で提案するように構成しても良い。また、たとえば、カラー，シャープネスおよびコントラストの組合せから、絵作りの傾向（暖色系または寒色系等）を検出して逆傾向の提案をするものである。
【００５３】
なお、実施形態及び変形形態は、適宜組み合わせて用いることもできるが、詳細な説明は省略する。また、本発明は以上説明した実施形態によって限定されることはない。
【符号の説明】
【００５４】
１０：カメラ、２０：撮像部、１３：操作部、１４：表示部、３０：撮影ガイド部、３１：ガイド作成部、３２：履歴データ記憶部、４０：制御部
【図１】
2013243573.tif 000003
【図２】
2013243573.tif 000004
【図３】
2013243573.tif 000005
【図４】
2013243573.tif 000006
【図５】
2013243573.tif 000007
【図６】
2013243573.tif 000008
【図７】
2013243573.tif 000009